(57)【特許請求の範囲】
【請求項１】
アイドル・モードにある間、アクセス端末についてのロケーション更新要求を、ターゲット・アクセス・サービス・ネットワーク・ゲートウェイ（ＡＳＮ−ＧＷ）が受信するステップと、
前記アクセス端末に関連付けられた少なくとも２つの機能エンティティの組み合わされた再配置を要求するための再配置通知メッセージを、前記ターゲットＡＳＮ−ＧＷからソースＡＳＮ−ＧＷに送信するステップであって、前記少なくとも２つの機能エンティティは、アクセス・オーセンティケータとアンカー・データ・パス機能とのうちの少なくとも１つと、ページング制御装置とを備える、ステップと、
前記少なくとも２つの機能エンティティについてのコンテキスト情報を含む再配置通知応答メッセージを前記ターゲットＡＳＮ−ＧＷが前記ソースＡＳＮ−ＧＷから受信するステップと、
前記少なくとも２つの機能エンティティを、前記再配置通知応答メッセージに含まれている前記コンテキスト情報を使用して前記ターゲットＡＳＮ−ＧＷに再配置するステップと
を備える、方法。
【請求項２】
前記再配置通知応答メッセージを受信するステップは、前記アクセス端末についての前記ページング制御装置と前記アクセス・オーセンティケータとを表すコンテキスト情報を含む再配置通知応答メッセージを受信するステップを備える、請求項１に記載の方法。
【請求項３】
アイドル・モードにある間、アクセス端末についてのロケーション更新要求のすぐ後に、アクセス端末に関連付けられた少なくとも２つの機能エンティティの組み合わされた再配置を要求するための再配置通知メッセージを、ソース・アクセス・サービス・ネットワーク・ゲートウェイ（ＡＳＮ−ＧＷ）がターゲットＡＳＮ−ＧＷから受信するステップと、
コンテキスト情報を含む再配置通知応答メッセージを前記ソースＡＳＮ−ＧＷから前記ターゲットＡＳＮ−ＧＷに送信するステップであって、前記再配置通知応答メッセージは、前記アクセス端末に関連付けられた前記少なくとも２つの機能エンティティを表すコンテキスト情報を含み、前記少なくとも２つの機能エンティティは、アクセス・オーセンティケータとアンカー・データ・パス機能とのうちの少なくとも１つと、ページング制御装置とを含む、ステップと、
前記再配置通知応答メッセージに含まれている前記コンテキスト情報に基づいて前記ソースＡＳＮ−ＧＷから前記ターゲットＡＳＮ−ＧＷに前記少なくとも２つの機能エンティティを再配置するステップと
を備える、方法。
【請求項４】
前記再配置通知応答メッセージを送信するステップは、前記アクセス端末についての前記ページング制御装置と前記アンカー・オーセンティケータとを表すコンテキスト情報を含む前記再配置通知応答メッセージを送信するステップを備える、請求項３に記載の方法。
【請求項５】
前記再配置通知応答メッセージを送信するステップは、有効なロケーション更新を示す再配置通知メッセージを前記ソースＡＳＮ−ＧＷが決定すること、及び、前記要求された組み合わされた再配置を前記ソースＡＳＮ−ＧＷがサポートするということを前記ソースＡＳＮ−ＧＷが決定することに応じて、前記再配置通知応答メッセージを送信するステップとを備える、請求項３に記載の方法。
【請求項６】
前記再配置通知メッセージが有効なロケーション更新を示さないということを前記ソースＡＳＮ−ＧＷが決定すること、または、前記要求された組み合わされた再配置を前記ソースＡＳＮ−ＧＷがサポートしないということを前記ソースＡＳＮ−ＧＷが決定することに応じて、前記組み合わされた再配置の要求が否定される、請求項３に記載の方法。
【請求項７】
アイドル・モードにある間、アクセス端末についてのロケーション更新要求を、ターゲット・アクセス・サービス・ネットワーク・ゲートウェイ（ＡＳＮ−ＧＷ）と称されるＡＳＮ−ＧＷが受信し、
前記アクセス端末に関連付けられた少なくとも２つの機能エンティティの組み合わされた再配置を要求するための再配置通知メッセージを、ソースＡＳＮ−ＧＷと称されるＡＳＮ−ＧＷに前記ターゲットＡＳＮ−ＧＷから送信し、前記少なくとも２つの機能エンティティは、アクセス・オーセンティケータとアンカー・データ・パス機能とのうちの少なくとも１つと、ページング制御装置とを含み、
前記少なくとも２つの機能エンティティについてのコンテキスト情報を含む再配置通知応答メッセージを前記ターゲットＡＳＮ−ＧＷが前記ソースＡＳＮ−ＧＷから受信し、
前記少なくとも２つの機能エンティティを、前記再配置通知応答メッセージに含まれている前記コンテキスト情報を使用して前記ターゲットＡＳＮ−ＧＷに再配置する、アクセス・サービス・ネットワーク・ゲートウェイ（ＡＳＮ−ＧＷ）。
【請求項８】
前記再配置通知応答メッセージを受信することは、前記アクセス端末についての前記ページング制御装置と前記アクセス・オーセンティケータとを表すコンテキスト情報を含む再配置通知応答メッセージを受信することを備える、請求項７に記載のＡＳＮ−ＧＷ。
【請求項９】
アイドル・モードにある間、アクセス端末についてのロケーション更新要求のすぐ後に、アクセス端末に関連付けられた少なくとも２つの機能エンティティの組み合わされた再配置を要求するための再配置通知メッセージを、ソース・アクセス・サービス・ネットワーク・ゲートウェイ（ＡＳＮ−ＧＷ）と称されるＡＳＮ−ＧＷがターゲットＡＳＮ−ＧＷから受信し、
コンテキスト情報を含む再配置通知応答メッセージを前記ソースＡＳＮ−ＧＷから前記ターゲットＡＳＮ−ＧＷに送信し、前記再配置通知応答メッセージは、前記アクセス端末に関連付けられた前記少なくとも２つの機能エンティティを表すコンテキスト情報を含み、前記少なくとも２つの機能エンティティは、アクセス・オーセンティケータとアンカー・データ・パス機能とのうちの少なくとも１つと、ページング制御装置とを含み、
前記再配置通知応答メッセージに含まれている前記コンテキスト情報に基づいて前記ソースＡＳＮ−ＧＷから前記ターゲットＡＳＮ−ＧＷに前記少なくとも２つの機能エンティティを再配置する、アクセス・サービス・ネットワーク・ゲートウェイ（ＡＳＮ−ＧＷ）。
【請求項１０】
前記再配置通知応答メッセージを送信することは、前記アクセス端末についての前記ページング制御装置と前記アンカー・オーセンティケータとを表すコンテキスト情報を含む前記再配置通知応答メッセージを送信することを備える、請求項９に記載のＡＳＮ−ＧＷ。
【請求項１１】
前記再配置通知応答メッセージを送信することは、有効なロケーション更新を示す再配置通知メッセージを前記ソースＡＳＮ−ＧＷが決定すること、及び、前記要求された組み合わされた再配置を前記ソースＡＳＮ−ＧＷがサポートするということを前記ソースＡＳＮ−ＧＷが決定することに応じて、前記再配置通知応答メッセージを送信することを備える、請求項９に記載のＡＳＮ−ＧＷ。
【請求項１２】
前記再配置通知メッセージが有効なロケーション更新を示さないということを前記ソースＡＳＮ−ＧＷが決定すること、または、前記要求された組み合わされた再配置を前記ソースＡＳＮ−ＧＷがサポートしないということを前記ソースＡＳＮ−ＧＷが決定することに応じて、前記組み合わされた再配置の要求が否定される、請求項９に記載のＡＳＮ−ＧＷ。
【発明の詳細な説明】
【技術分野】
【０００１】
関連出願の相互参照
本出願は、２０１０年３月２５日に出願した米国仮特許出願第６１／３１７，５１９号の優先権を主張するものである。
【０００２】
本発明は、一般に通信システムに関し、より詳細には、通信システムにおけるモビリティ・プロシージャに関する。
【背景技術】
【０００３】
従来の通信システムは、アクセス・ノードのネットワークを使用して、有線接続および／またはワイヤレス接続を使用した、１つまたは複数のアクセス端末に対するネットワーク接続を提供する。ネットワーク・アーキテクチャは、一般に２つの広大なカテゴリに、すなわち階層型と分散型とに分類される。階層的ネットワーク・アーキテクチャは、中央集中されたエンティティを使用して、モビリティ管理と、無線リソース制御とを取り扱ってきた。例えば、従来の階層的通信においては、サーバは、無線ネットワーク制御装置（Ｒａｄｉｏ  Ｎｅｔｗｏｒｋ  Ｃｏｎｔｒｏｌｌｅｒ）（ＲＮＣ）などの中心的な要素に対してターゲット・アクセス端末に向かうことになっている音声信号および／またはデータ信号を送信する。次いで、ＲＮＣは、１つまたは複数のアクセス・ノードを経由してページング・メッセージ（ｐａｇｉｎｇ  ｍｅｓｓａｇｅｓ）をターゲット・アクセス端末に対して送信して、ターゲット・アクセス端末の場所を見つけることができる。ターゲット・アクセス端末は、ネットワークからページを受信することに応じて１つまたは複数のアクセス・ノードに対して通信リンクを確立することができる。ＲＮＣの内部の無線リソース管理機能は、音声信号および／またはデータ信号を受信し、またアクセス・ノードの組によって使用される無線リソースと時間リソースとを協調させて、その情報をターゲット・アクセス端末に対して送信する。無線リソース管理機能は、きめの細かい制御（ｆｉｎｅ  ｇｒａｉｎ  ｃｏｎｔｒｏｌ）を実行して、アクセス・ノードの組の上でブロードキャスト伝送のためのリソースを割り付け、また解放することができる。
【０００４】
対照的に、分散型ネットワークは、分散された通信ネットワーク機能を実装するアクセス・ポイントを含んでいる。例えば、分散された各アクセス・ポイントは、１つまたは複数のアクセス端末と、インターネットなど、外側のネットワークとの間の無線リンクを管理する単一のエンティティにおけるＲＮＣ機能および／またはパケット・データ・サービング・ノード（Ｐａｃｋｅｔ  Ｄａｔａ  Ｓｅｒｖｉｎｇ  Ｎｏｄｅ）（ＰＤＳＮ）機能の一部または全部を組み合わせることができる。分散型アクセス・ポイントは、同等のＩＰ機能に対するコア・ネットワーク要素サポートを利用するプロキシ機能を実装することができる。例えば、ＵＭＴＳ基地局ルータにおけるＩＰアンカーリングを、モバイルＩＰのホーム・エージェント（Ｈｏｍｅ  Ａｇｅｎｔ）（ＨＡ）と、基地局ルータが同等なモバイルＩＰ信号方式を通してプロキシするゲートウェイＧＰＲＳサポート・ノード（Ｇａｔｅｗａｙ  ＧＰＲＳ  Ｓｕｐｐｏｒｔ  Ｎｏｄｅ）（ＧＧＳＮ）アンカーリング機能とを通して、提供することが可能である。階層的ネットワークと比べて、分散型アーキテクチャは、ネットワークを展開するコストおよび／または複雑さ、ならびに追加のアクセス・ポイントを追加して既存のネットワークのカバレッジを拡張するコストおよび／または複雑さを低減させる可能性を有する。階層的ネットワークのＲＮＣおよびＰＤＳＮにおけるパケット待ち行列遅延が、低減させられ、または取り除かれることが可能であるので、分散型ネットワークはまた、ユーザによって経験される遅延を（階層的ネットワークに対して）低減させることもできる。
【０００５】
少なくとも部分的に、これらの利点のために、ＷｉＭＡＸ通信システムのための多数の提案された規格および／またはプロトコルは、ＷｉＭＡＸシステムが、アクセス・ノードの分散型アーキテクチャを実装することができることを仮定している。その結果として、提案された規格において説明されるモビリティに関連したプロシージャの多くは、分散型機能をサポートし、かつ／または拡張するように設計される。例えば、ＷｉＭＡＸネットワークの中のアクセス・サービス・ネットワークは、ページング制御装置、アンカー・オーセンティケータ（ａｎｃｈｏｒ  ａｕｔｈｅｎｔｉｃａｔｏｒ）、アンカー・データ・パス機能などの機能エンティティを実装して、各アクセス端末との通信リンクをサポートする。機能エンティティは、アクセス端末が、ＷｉＭＡＸネットワークを通して移動するときに同じオペレータに属するアクセス・サービス・ネットワークの間で独立に移行させられる（ｍｉｇｒａｔｅｄ）。しかしながら、異なるエンティティの移行（ｍｉｇｒａｔｉｏｎ）のための最適な判断基準および／または条件は、各エンティティごとに異なっている可能性がある。提案された規格は、分散型ネットワークの柔軟性を利用して、同じオペレータに属するアクセス・サービス・ネットワークの間での各エンティティの移行のための異なるプロシージャを指定することにより、これらの違いを受け入れる。複数の独立な移行プロシージャは、しかしながら、特に階層的システムにおいては、かなりの追加のオーバーヘッドを表す可能性がある。
【発明の概要】
【発明が解決しようとする課題】
【０００６】
開示された主題は、上記で説明された１つまたは複数の問題の影響に対処することを対象としている。以下は、開示された主題の簡略化された概要を提示して、開示された主題のいくつかの態様についての基本的な理解を提供するものである。この概要は、開示された主題についての網羅的な概説ではない。開示された主題の重要な、または不可欠な要素を識別すること、または開示された主題の範囲を示すことは意図されていない。その唯一の目的は、後で考察されるより詳細な説明に対する前置きとして、簡略化された形態でいくつかの概念を提示することである。
【課題を解決するための手段】
【０００７】
一実施形態においては、モビリティ・イベント中にアクセス・サービス・ネットワークにおいて機能エンティティを再配置するための一方法が、提供される。本方法の一実施形態は、ソースのアクセス・サービス・ネットワーク（ａｃｃｅｓｓ  ｓｅｒｖｉｃｅ  ｎｅｔｗｏｒｋ）（ＡＳＮ）からターゲットＡＳＮへの２つ以上の機能エンティティを表すコンテキスト情報（ｃｏｎｔｅｘｔ  ｉｎｆｏｒｍａｔｉｏｎ）を提供するステップを含んでいる。本方法の別の実施形態は、ソースＡＳＮからターゲットＡＳＮにおける２つ以上の機能エンティティを表すコンテキスト情報を受信するステップを含んでいる。機能エンティティについてのコンテキスト情報は、アクセス端末に関連づけられ、またソースＡＳＮが、ハンドオフ要求またはロケーション更新メッセージ（ｌｏｃａｔｉｏｎ  ｕｐｄａｔｅ  ｍｅｓｓａｇｅ）の結果として、ターゲットＡＳＮから再配置通知またはハンドオフ要求を受信することに応じて、提供される。
【０００８】
開示された主題は、添付図面と併せて解釈される以下の説明を参照することにより理解することが可能であり、添付図面において、同様な参照番号は、同様な要素を識別している。
【図面の簡単な説明】
【０００９】
【図１】ワイヤレス通信システムの第１の例示の実施形態を概念的に示す図である。
【図２】ワイヤレス通信システムの第２の例示の実施形態を概念的に示す図である。
【図３】ワイヤレス通信システムにおいて、モビリティ・イベント中に、ソースＡＳＮと、ターゲットＡＳＮとの間で機能エンティティを再配置するための一方法の第１の例示の実施形態を概念的に示す図である。
【図４】ワイヤレス通信システムにおいて、モビリティ・イベント中に、ソースＡＳＮと、ターゲットＡＳＮとの間で機能エンティティを再配置するための一方法の第２の例示の実施形態を概念的に示す図である。
【図５】ワイヤレス通信システムにおいて、モビリティ・イベント中に、ソースＡＳＮと、ターゲットＡＳＮとの間で機能エンティティを再配置するための一方法の第３の例示の実施形態を概念的に示す図である。
【図６】ワイヤレス通信システムにおいて、モビリティ・イベント中に、ソースＡＳＮと、ターゲットＡＳＮとの間で機能エンティティを再配置するための一方法の第４の例示の実施形態を概念的に示す図である。
【図７】ターゲットＡＳＮによるプル・モード（ＰＵＬＬ  ｍｏｄｅ）において、またはソースＡＳＮによるプッシュ・モード（ＰＵＳＨ  ｍｏｄｅ）において、オーセンティケータと、アンカー・データ・パス機能との再配置をサポートする、ＡＳＮ機能エンティティのアクティブ・モードの組み合わせられた再配置のための一方法の例示の一実施形態を概念的に示す図である。
【発明を実施するための形態】
【００１０】
開示された主題は、様々な修正と代替的な形態との影響を受けやすいが、その特定の実施形態が、図面において例として示されており、また本明細書において詳細に説明される。しかしながら、特定の実施形態についての本明細書における説明は、開示された主題を開示された特定の形態だけに限定することを意図してはおらず、それとは逆に、その意図は、添付の特許請求の範囲の範囲内に含まれるすべての修正形態、均等物、および代替案をカバーすることであることを理解すべきである。
【００１１】
例示の実施形態が、以下で説明される。明確にする利益のために、実際の実装についての必ずしもすべての特徴が、本明細書において説明されているとは限らない。そのような実際の任意の実施形態の開発においては、非常に多数の実装に特有の決定が、実装ごとに変化することになる、システムに関連した制約やビジネスに関連した制約などに準拠した開発者の特定の目標を達成するために行われるべきであることが、もちろん理解されるであろう。さらに、そのような開発努力は、複雑であり、また多大な時間がかかる可能性があるが、それにもかかわらず本開示の恩恵を受ける当業者にとって引き受ける一連の決められた行動（ｒｏｕｔｉｎｅ）になることが、理解されるであろう。
【００１２】
開示された主題は、次に添付された図を参照して説明されることになる。様々な構造、システム、およびデバイスが、説明の目的のためだけに、また当業者によく知られている詳細を用いて本発明をあいまいにしてしまうことのないように、図面の中で概略的に示されている。それにもかかわらず、添付の図面は、本開示の主題の例示的な例を説明し、また明らかにするために含められる。本明細書において使用される単語およびフレーズは、当業者によるこれらの単語およびフレーズの理解と整合した意味を有するように理解され、また解釈されるべきである。用語またはフレーズについての特殊な定義、すなわち当業者によって理解されるような、普通の、また慣例的な意味とは異なる定義は、本明細書における用語またはフレーズについての一貫した使用によって暗に示されるようには意図されない。用語またはフレーズが、特別の意味、すなわち当業者によって理解される意味以外の意味を有することが意図される限りでは、そのような特別な定義は、用語またはフレーズについて特別な定義を直接に、またはっきりと提供する定義の方法で明細書の中で明示的に説明されることになる。
【００１３】
一般に、本出願は、複数のアクセス・サービス・ネットワーク・ゲートウェイ（ＡＳＮ−ＧＷ）の間に複数の機能エンティティを再配置するために使用され得る組み合わされた再配置プロセスについての実施形態を説明するものである。ページング制御装置と、アンカー・オーセンティケータと、アンカー・データ・パス機能との組合せは、これらの機能エンティティを再配置するために必要とされるメッセージの数をかなり低減させる最適化されたメッセージ・フローを使用して、ＷｉＭＡＸシステムの中で複数のＡＳＮ−ＧＷの間で再配置することが可能である。例えば、アイドル状態にあるモバイル・ユニットが、古いページング・グループから新しいＢＳとＡＳＮ−ＧＷとを含む新しいページング・グループへと移動するときに、アイドル状態にあるモバイル・ユニットは、新しいＢＳとＡＳＮ−ＧＷとに対してロケーション更新を送信することができる。新しいＡＳＮ−ＧＷは、ロケーション更新要求を受信し、またモバイル・ユニットのアンカー・オーセンティケータとページング制御装置のコンテキスト情報との新しいＡＳＮ−ＧＷに対する組み合わされた再配置について要求を古いサービングＡＳＮ−ＧＷに対して送信することができる。古いＡＳＮ−ＧＷは、ロケーション更新要求の有効性をチェックし、またロケーション更新が、有効である場合、また古いＡＳＮ−ＧＷが、組み合わされた再配置プロシージャをサポートする場合に、古いＡＳＮ−ＧＷは、コンテキスト情報を用いて積極的に応答する。機能エンティティの再配置が、何らかの理由により否定される場合に、古いＡＳＮ−ＧＷは、ロケーション更新において示されるモバイル・デバイスのロケーションを記録することができる。
【００１４】
図１は、ワイヤレス通信システム１００の第１の例示の実施形態を概念的に示すものである。例示の実施形態においては、ワイヤレス通信システム１００は、ＩＰモビリティ・サブシステム・サーバ１０６を含むホーム・コア・サービング・ネットワーク１０５と、課金サーバ１０７と、ホーム認証認可アカウンティング（ｈｏｍｅ  ａｕｔｈｅｎｔｉｃａｔｉｏｎ，  ａｕｔｈｏｒｉｚａｔｉｏｎ，  ａｎｄ  ａｃｃｏｕｎｔｉｎｇ）（ＡＡＡ）サーバ１０８と、システム１００の内部のデバイスのための共通のＩＰモビリティ・アンカー・ポイントとしてサーブすることができるホーム・エージェント１０９とを含む。ワイヤレス通信システム１００はまた、訪問されたＡＡＡサーバ１１３を含むことができる訪問されたコア・ネットワーク１１０も含んでいる。ネットワーク１０５、１１０の要素を実装するための、また動作させるための技法が、当技術分野において知られており、また明確にする利益のために、特許請求の範囲の主題に関連のある、ネットワーク１０５、１１０の要素を実装すること、および／または動作させることについてのこれらの態様だけが、本明細書において論じられることになる。さらに、本開示の恩恵を受ける当業者は、ワイヤレス通信システム１００が、明確にする利益のために図１に示されていない他の要素を含むことができることを理解すべきである。
【００１５】
ワイヤレス通信システム１００は、ＷｉＭＡＸの規格および／またはプロトコルを実装する。ＷｉＭＡＸシステム１００は、アクセス・ノード１２０と通信しているデバイスのために、ネットワーク１１０に対するアクセスを制御するアクセス・サービング・ネットワーク（ＡＳＮ）１１５を含んでいる。ＡＳＮ１１５は、ＷｉＭＡＸのゲートウェイおよび／またはフォーリン・エージェント（ｆｏｒｅｉｇｎ  ａｇｅｎｔ）として機能することもできる。ＡＳＮ１１５は、一般的に、ＡＳＮ１１５と通信しているアクセス端末１２５のための、ページング制御装置、アンカー・オーセンティケータ、フォーリン・エージェント、アンカー・データ・パス機能などの機能エンティティをサポートする。ＷｉＭＡＸアーキテクチャにおいては、フォーリン・エージェントと、アンカー・データ・パス機能とは、一般的にＡＳＮ１１５の中で同一場所に配置される。例示のアクセス端末１２５は、それだけには限定されないが、加入者端末、顧客宅内装置（ｃｕｓｔｏｍｅｒ  ｐｒｅｍｉｓｅ  ｅｑｕｉｐｍｅｎｔ）（ＣＰＥ）、固定ワイヤレス端末、モバイル・ワイヤレス端末、モバイル・ユニット、および／または他の固定またはモバイルのワイヤレス・デバイスを含むことができる。図１に示されるワイヤレス通信システム１００は、ＷｉＭＡＸに従って動作する要素を含んでいるが、本開示の恩恵を受ける当業者は、ワイヤレス通信システム１００の他の部分が、異なる規格および／またはプロトコルに従って動作することができることを理解すべきである。例えば、ワイヤレス通信システム１００は、ＷｉＭＡＸ、ＷｉＦｉ、およびＥＶ−ＤＯなどを実装する異機種環境のネットワークの一部分とすることができる。ＥＶ−ＤＯネットワーク、ＷｉＭＡＸネットワーク、およびＷｉＦｉネットワークを実装するための、また動作させるための規格およびプロトコルは、当技術分野において知られており、また明確にする利益のために、特許請求の範囲の主題に関連のあるこれらのネットワークを実装すること、および動作させることのこれらの態様だけが、本明細書において論じられることになる。
【００１６】
ＡＳＮ１１５の内部の機能エンティティは、モビリティ・イベントに応じて、例えば、アクセス端末１２５が、ＡＳＮ１１５の間で移動し、またはハンドオフされるときに、移行させられることが可能である。例示の実施形態において、ＡＳＮ１１５は、単一の統合されたメッセージ・フローにおいて、複数の機能エンティティの組み合わされた再配置をサポートするように構成されている。例えば、アクセス端末１２５が、ＡＳＮ１１５（１）からＡＳＮ１１５（２）へとハンドオフするときに、ソースＡＳＮ１１５（１）は、２つ以上の機能エンティティを表すコンテキスト情報をターゲットＡＳＮ１１５（２）に対して提供することにより機能エンティティを転送することができる。ターゲットＡＳＮ１１５（２）は、コンテキスト情報を受信し、またそれを使用して、アクセス端末１２５についての機能エンティティを構成し、または機能エンティティのインスタンスを作成する。機能エンティティについてのコンテキスト情報は、ソースＡＳＮ１１５（１）が、ターゲットＡＳＮ１１５（２）から再配置通知またはハンドオフ要求を受信することに応じて提供することが可能である。
【００１７】
図２は、ワイヤレス通信システム２００の第２の例示の実施形態を概念的に示すものである。例証された実施形態においては、ワイヤレス通信システム２００は、エア・インターフェース２２０の上でワイヤレス接続をアクセス端末２１５に対して提供するための基地局２１０を含むアクセス・サービング・ネットワーク２０５を含んでいる。アクセス・サービング・ネットワーク２０５はまた、モバイル・ノード２１５と、ＡＳＮ２０５の外側のより広いネットワークとの間でゲートウェイとしてサーブするゲートウェイ（ＡＳＮ−ＧＷ）２２５を含んでいる。各ＡＳＮ−ＧＷ２２５は、モバイル・ノード２１５との通信をサポートするために使用される様々な機能要素を提供する。それらの機能要素は、アクセス端末２１５に関連するコンテキスト情報に基づいて定義し、構成し、かつ／またはインスタンスを作成することが可能である。例証された実施形態においては、機能エンティティは、ページング制御装置２３０と、アンカー・オーセンティケータ２３５と、アンカー・データ・パス機能２４０とを含む。機能エンティティ２３０、２３５、２４０のおのおのについて単一のものが、図２において示されるが、本開示の恩恵を受ける当業者は、ＡＳＮ−ＧＷ２２５が、一般的に、ユーザごとに基づいてこれらの機能エンティティ２３０、２３５、２４０のインスタンスを作成し、またそのようにして複数のインスタンス化が、ＡＳＮ２２５によって現在サーブされているユーザ装置の数に応じて、各ＡＳＮ−ＧＷ２２５の上に存在することができることを理解すべきである。
【００１８】
ページング制御装置２３０は、関連するアクセス端末２１５についてのページング・プロセスと、アイドル状態とを管理する。ページング制御装置２３０は、アクセス端末２１５が、アイドル・モードにある間、アクセス端末状態と、操作パラメータ（ｏｐｅｒａｔｉｏｎａｌ  ｐａｒａｍｅｔｅｒｓ）とを保持する。ページング制御装置２３０は、ページング制御装置ＩＤと呼ばれる固有の４８ビットの識別子などの識別子によって識別することが可能である。アクセス端末２１５は、ネットワークのリエントリー（ｎｅｔｗｏｒｋ  ｒｅｅｎｔｒｙ）と、ロケーション更新プロシージャとの間に、ページング制御装置ＩＤを信号で伝えることができる。ページング制御装置２３０を表すコンテキスト情報は、状態情報と、操作パラメータと、ページング制御装置ＩＤなどとを含むことができる。ページング制御装置２３０は、一般的に、アクセス端末２１５が、アイドル・モードに入るときにインスタンスを作成され、またそれゆえに、ページング制御装置２３０は、アクセス端末２１５が、アクティブ・モードにあるときにはＡＳＮ−ＧＷ２２５の中に存在せず、またはインスタンスを作成されない。代替的な実施形態においては、追加の機能を、例えば、ＷｉＭＡＸ規格において指定されるように、ページング制御装置２３０において実装することが可能である。
【００１９】
アンカー・オーセンティケータ２３５は、加入者とデバイスとの認証をネゴシエートし、ネットワーク・エントリーを認可し、ネットワークに入る加入者（例えば、アクセス端末２１５における）のアイデンティティを制御し、またエア・インターフェース２２０の上で伝わるメッセージの暗号化のために使用されるキーを生成する。アンカー・オーセンティケータ２３５は、ＡＡＡサーバ（図２には示されていない）についてのクライアントとしての機能を果たすこともできる。アンカー・オーセンティケータ２３５は、オーセンティケータＩＤによって一意的に識別され、このオーセンティケータＩＤは、ルーティング可能なＩＰｖ４アドレスまたはＩＰｖ６アドレスから、あるいは４８ビットのメディア・アクセス制御（ｍｅｄｉａ  ａｃｃｅｓｓ  ｃｏｎｔｒｏｌ）（ＭＡＣ）アドレスから形成することが可能である。アンカー・オーセンティケータ２３５を表すコンテキスト情報は、加入者アイデンティティと、暗号化キーと、ＡＡＡクライアント情報と、オーセンティケータＩＤなどとを含むことができる。代替的な実施形態においては、追加の機能を、例えば、ＷｉＭＡＸ規格において指定されるように、アンカー・オーセンティケータ２３５において実装することが可能である。
【００２０】
アンカー・データ・パス機能２４０は、加入者（例えば、アクセス端末２１５）に対するデータ・パスについてのアンカーとしての機能を果たす。コア・サービング・ネットワークは、ダウンリンク・パケットをデータ・パスのアンカーに対して送信することができ、また次いでアンカー・データ・パス機能は、ダウンリンク・パケットをアクセス端末２１５に対して転送する。アイドル状態においては、アンカー・データ・パス機能２４０が、コア・ネットワークからアイドル状態にあるアクセス端末２１５へと向かうことになっており、かつ／またはアドレス指定されるダウンリンク・パケットを受信するときに、アンカー・データ・パス機能２４０は、まずアクセス端末２１５をページングし、アクセス端末２１５がネットワークに再び入るのを待ち、また次いでサービング基地局２１０を通してダウンリンク・パケットをアクセス端末２１５へと配信する。アンカー・データ・パス機能２４０は、アンカー・データ・パス機能ＩＤによって一意的に識別することが可能であり、このアンカー・データ・パス機能ＩＤは、ルーティング可能なＩＰｖ４アドレスまたはＩＰｖ６アドレスから、あるいは４８ビットのメディア・アクセス制御（ＭＡＣ）アドレスから形成することが可能である。アンカー・データ・パス機能２４０を表すコンテキスト情報は、データ・パスについてのルーティング情報と、アンカー・データ・パス機能ＩＤなどとを含むことができる。代替的な実施形態においては、追加の機能を、例えば、ＷｉＭＡＸ規格において指定されるように、アンカー・データ・パス機能２４０において実装することが可能である。
【００２１】
例証された実施形態においては、アクセス端末２１５は、最初に、エア・インターフェース２２０（１）の上でＡＳＮ２０５（１）とのワイヤレス通信接続を有する。次いで、アクセス端末２１５は、ソースＡＳＮ２０５（１）からターゲットＡＳＮ２０５（２）へとその関連付けを変更し、またターゲットＡＳＮ２０５（２）とのワイヤレス通信接続を確立することができる。例えば、アクセス端末２１５は、ＡＳＮ２０５（１）によってサーブされる領域からＡＳＮ２０５（２）によってサーブされる領域へと移動することができる。しかしながら、アクセス端末２１５は、変化する環境状態、エア・インターフェース２２０のフェーディング、ロード・バランシング・オペレーションなど、他のモビリティ・イベントに応じてその関連付けを変更することもできる。アクセス端末２１５が、アイドル・モードにある場合、アクセス端末２１５は、ロケーション更新メッセージをターゲットＡＳＮ２０５（２）へと送信することにより、例えば、あらかじめ決定されたタイム・スロットにおいて、変化する関連付けを信号で伝えることができる。代わりに、アクセス端末２１５が、アクティブ・モードにある場合、アクセス端末は、ターゲットＡＳＮ２０５（２）に対してハンドオフを実行することができる。そのハンドオフは、アクセス端末２１５またはネットワーク２００によって開始することが可能である。機能エンティティ２３０、２３５、２４０は、ソースＡＳＮ−ＧＷ２２５（１）からターゲットＡＳＮ−ＧＷ２２５（２）へと移動し、転送し、または移行することが可能である。例えば、機能エンティティ２３０、２３５、２４０は、ソースＡＳＮ−ＧＷ２２５（１）からターゲットＡＳＮ−ＧＷ２２５（２）へと機能エンティティ２３０、２３５、２４０を表すコンテキスト情報を送信することにより移動することが可能である。
【００２２】
図３は、ワイヤレス通信システムにおいてモビリティ・イベント中にソースＡＳＮ３０５と、ターゲットＡＳＮ３１０との間で機能エンティティを再配置するための一方法３００の第１の例示の実施形態を概念的に示すものである。例証された実施形態においては、ソースＡＳＮ３０５は、ソースＡＳＮ−ＧＷ（Ｓ−ＧＷ）を含んでおり、またターゲットＡＳＮ３１０は、基地局（ＢＳ）と、ターゲットＡＳＮ−ＧＷ（Ｔ−ＧＷ）とを含んでいる。ワイヤレス通信システムはまた、アクセス端末（ＡＴ）についてのホーム・エージェント（ＨＡ）をサポートするコア・サービング・ネットワーク３１５と、加入者とアクセス端末とのためのプロファイル情報を含むＡＡＡサーバとを含んでもいる。例証された実施形態においては、ワイヤレス通信システムの要素は、ＷｉＭＡＸの規格および／またはプロトコルに従って動作する。例証された実施形態におけるアクセス端末は、最初にアイドル・モードにあり、またモビリティ・イベントに応じてソースＡＳＮからターゲットＡＳＮへとその関連付けを変更する。機能エンティティ（例えば、アンカー・オーセンティケータおよびアンカー・データ・パス機能）の移行は、４段階で進む。
【００２３】
第１の段階３２０中に、アイドル状態にあるアクセス端末と、ワイヤレス通信システムとは、ターゲットＡＳＮにおける基地局に対して範囲要求（ｒａｎｇｅ  ｒｅｑｕｅｓｔ）（ＲＮＧ−ＲＥＱ）メッセージを送信するアクセス端末を含む従来のロケーション更新プロシージャを実行し、この基地局は、次いで、ターゲットＡＳＮ−ＧＷを経由してロケーション更新要求をソースＡＳＮに対して搬送する。ロケーション更新要求は、基地局と、ターゲットＡＳＮと、ソースＡＳＮとの間で処理される／ネゴシエートされる従来のロケーション更新プロシージャを開始する。例証された実施形態においては、ロケーション更新プロシージャは、ソースＡＳＮからページング制御装置を移動せずに実行される。第１の段階３２０の実施形態は、一般的に、８個以上のメッセージの交換に対応するオーバーヘッドを必要とする。
【００２４】
第２の段階３２５中に、ネットワークは、アクセス端末にページングすることを決定し、またアクセス端末は、アイドル・モードから抜け出て、アクティブになり、その結果、アクセス端末は、機能エンティティをターゲットＡＳＮ−ＧＷへと移動させるために使用されるメッセージ交換に参加することができるようになる。ネットワーク・ページは、ソースＡＳＮに由来し、またターゲットＡＳＮを経由してアクセス端末へと搬送される。アクセス端末が、ページ・メッセージに応答する場合、そのときにはアクセス端末と、ソースＡＳＮと、ターゲットＡＳＮとは、ネットワークを通してデータ・パスを確立する／ネゴシエートすることができる。第２の段階３２５の実施形態は、一般的に、１６個以上のメッセージの交換に対応するオーバーヘッドを必要とする。
【００２５】
第３の段階３３０中に、アクティブなアクセス端末は、ソースＡＳＮからターゲットＡＳＮへとアンカー・オーセンティケータと、アンカー・データ・パス機能とを再配置することに参加する。これらの機能エンティティについてのコンテキスト情報を送信することは、一般的に、アクセス端末のセキュリティ履歴、セキュリティ・キー、認証コンテキスト、モビリティ連絡先などをターゲットＡＳＮへと移動させることを含んでいる。アクセス端末は、ＡＡＡサーバによって再認証することも可能であり、またセキュリティ・キーに対する必要な任意の更新または変更を、実行することが可能である。ソースＡＳＮへの接続に対するアカウンティングを、停止することが可能であり、またターゲットＡＳＮを用いたアカウンティングを、開始することが可能である。第３の段階３３０の実施形態は、一般的に、１８個以上のメッセージの交換に対応するオーバーヘッドを必要とする。
【００２６】
第４の段階３３５中に、コンテキスト情報の移行が完了し、またアンカー・データ・パス機能は、Ｓ−ＧＷからＴ−ＧＷへと移行し、また（３４０において）コア・ネットワーク３１５の中でホーム・エージェントからの先行するデータ・パスの登録を取り消す。第４の段階３３５の実施形態は、一般的に、３つ以上のメッセージの交換に対応するオーバーヘッドを必要とする。その結果として、方法３００の第１の例示の実施形態は、少なくとも４５個のメッセージの交換に対応するオーバーヘッドを必要とする可能性がある。
【００２７】
図４は、ワイヤレス通信システムにおいてモビリティ・イベント中にソースＡＳＮ４１０と、ターゲットＡＳＮ４０５との間で機能エンティティを再配置するための一方法４００の第２の例示の実施形態を概念的に示すものである。例証された実施形態においては、ソースＡＳＮ４１０は、ソースＡＳＮ−ＧＷ（Ｓ−ＧＷ）を含んでおり、またターゲットＡＳＮ４０５は、基地局（ＢＳ）と、ターゲットＡＳＮ−ＧＷ（Ｔ−ＧＷ）とを含んでいる。ワイヤレス通信システムはまた、アクセス端末（ＡＴ）についてのホーム・エージェント（ＨＡ）をサポートするコア・サービング・ネットワーク４１５と、アクセス端末についてのプロファイル情報を含むＡＡＡサーバとも含む。例証された実施形態においては、ワイヤレス通信システムの要素は、ＷｉＭＡＸの規格および／またはプロトコルに従って動作する。例証された実施形態におけるアクセス端末は、最初は、アイドル・モードにあり、またモビリティ・イベントに応じてソースＡＳＮからターゲットＡＳＮへとその関連付けを変更する。
【００２８】
例証された実施形態においては、アクセス端末は、（４２０において）ロケーション更新を要求するＲＮＧ−ＲＥＱメッセージなどのメッセージを送信することによってロケーション更新プロシージャを開始する。基地局（ＢＳ）は、（４２２において）ロケーション更新要求をターゲットＡＳＮに対して転送する。ロケーション更新要求は、ページング情報、基地局識別子、ページング制御装置の識別子などの情報を含むことができる。ターゲットＡＳＮは、（４２４において）インターフェースの上でロケーション更新メッセージをソースＡＳＮに対して搬送する。ロケーション更新メッセージはまた、組み合わされた再配置プロシージャを要求する情報を含んでおり、その結果、ページング制御装置は、ロケーション更新プロシージャの一部分として再配置することが可能であり、またアンカー・オーセンティケータと、アンカー・データ・パス機能とは、単一のメッセージ・フローにおいて一緒に再配置することが可能である。ソースＡＳＮは、ロケーション更新要求が有効であるかどうかと、それが、組み合わされた再配置プロシージャをサポートするかどうかを決定することができる。そうである場合には、ソースＡＳＮは、（４２６において）ロケーション更新応答をターゲットＡＳＮに対して戻すことによって応答する。例証された実施形態においては、ロケーション更新応答は、アクセス端末識別子と、セキュリティ・コンテキストと、新しいページング制御装置の識別子と、古いページング制御装置の識別子と、ページング情報などとを含むことができる、ページング制御装置のためのコンテキスト情報を含んでいる。ロケーション更新応答は、ソースＡＳＮが、組み合わされた再配置をサポートするかどうかを示す情報を含むこともでき、その結果、ターゲットＡＳＮは、組み合わされた再配置がサポートされない場合に、通知することが可能になる。
【００２９】
ターゲットＡＳＮは、コンテキスト情報を使用して、アクセス端末についてのページング制御装置を構成し、またはページング制御装置のインスタンスを作成することができる。ページング制御装置を表すコンテキスト情報は、今やターゲットＡＳＮにおいて使用可能であるので、アクセス端末は、エラーまたは障害が再配置プロセスの残りにおいて起こる場合に、場所を見つけられることが可能である。例証された実施形態においては、ターゲットＡＳＮ−ＧＷは、（４２８において）ロケーション更新応答を基地局に対して提供する。提供された応答は、アクセス端末の識別子、セキュリティ・コンテキスト、新しいページング制御装置の識別子、古いページング制御装置の識別子、ページング情報などのコンテキスト情報を含むことができる。ＲＮＧ−ＲＳＰなどの確認メッセージを、（４３０において）エア・インターフェースの上でアクセス端末に対して送信することが可能であり、また別のロケーション更新確認を、（４３２において）ターゲットＡＳＮ−ＧＷに対して戻すことが可能である。次いで、ターゲットＡＳＮは、（４３４において）ロケーション更新確認をソースＡＳＮに対して送信することができる。例証された実施形態においては、ロケーション更新確認は、関連のある規格に従ってメッセージの妥当性検査のために使用され得るＣＭＡＣ＿キー＿カウント（ＣＭＡＣ＿Ｋｅｙ＿Ｃｏｕｎｔ）（ＣＫＣ）などのカウンタ値を含んでいる。
【００３０】
例証された実施形態においては、アンカー・オーセンティケータと、アンカー・データ・パス機能との組み合わされた再配置は、ページング制御装置がターゲットＡＳＮに再配置された後に、実行される。組み合わされた再配置は、ターゲットＡＳＮが（４３６において）再配置通知メッセージをソースＡＳＮに対して送信するのとともに開始することが可能である。一実施形態においては、再配置通知メッセージは、再配置（例えば、ロケーション更新またはハンドオフ）についての理由を示す情報と、ＣＰＩビット（チャージング属性（ａ  ｃｈａｒｇｉｎｇ  ａｔｔｒｉｂｕｔｅ））と、ページング情報と、新しいページング制御装置のＩＤと、新しいアンカー・オーセンティケータの識別子と、ページング制御装置の再配置の宛先と、基地局の識別子と、ＣＫＣなどとを含む。ソースＡＳＮは、要求された組み合わされた再配置を受け入れるべきか、または拒否すべきかを決定し、また次いで（４３８において）再配置通知応答をターゲットＡＳＮに対して提供する。再配置通知応答の実施形態は、要求が受け入れられたか、または拒否されたかについての表示と、アクセス端末のセキュリティ履歴と、アクセス端末についての認証コンテキストと、アクセス端末についてのモビリティ・アンカー・コンテキストと、基地局情報と、ページング情報と、現在のオーセンティケータの検証コード（ｐｒｅｓｅｎｔ  ａｕｔｈｅｎｔｉｃａｔｏｒ  ｖｅｒｉｆｉｃａｔｉｏｎ  ｃｏｄｅ）（ＰＡ＿ＶＣ）と、現在のカウンタ値（ＣＭＡＣ＿キー＿カウント）から導き出され、また妥当性検査のために使用されるノンス（ｎｏｎｃｅ）（ＰＡ＿ＮＯＮＣＥ）と、新しいオーセンティケータの妥当性検査コードの計算において使用されるランダム値ノンス（ＮＡ＿ＮＯＮＣＥ）と、セキュリティ・コンテキストなどとを含むことができる。
【００３１】
ＡＡＡ認可のために、ターゲットＡＳＮは、（４４０において）再配置されたオーセンティケータ・セッションについてのアクセス要求をＡＡＡサーバに対して送信する。一実施形態においては、アクセス要求は、ＲＡＤＩＵＳアクセス要求、またはアクセス端末についての新しいアンカー・オーセンティケータの識別子と、ＰＡ＿ＶＣと、ＰＡ＿ＮＯＮＣＥと、ネットワーク・アクセス識別子（ｎｅｔｗｏｒｋ  ａｃｃｅｓｓ  ｉｄｅｎｔｉｆｉｅｒ）（ＮＡＩ）とを含むダイアメーターＷｉＭＡＸダイアメーター（Ｄｉａｍｅｔｅｒ  ＷｉＭＡＸ  Ｄｉａｍｅｔｅｒ）の拡張認証プロトコル（Ｅｘｔｅｎｄｅｄ  Ａｕｔｈｅｎｔｉｃａｔｉｏｎ  Ｐｒｏｔｏｃｏｌ）（ＥＡＰ）要求（ＷＤＥＲ）である。ＡＡＡサーバは、その要求を受け入れるべきかどうかを決定することができ、また次いでそれは、（４４２において）ＡＡＡサーバによって生成されるマスター・セッション・キーなどのキー・マテリアル（ｋｅｙ  ｍａｔｅｒｉａｌ）を含むダイアメーターＷｉＭＡＸダイアメーターＥＡＰ受入れ（Ｄｉａｍｅｔｅｒ  ＷｉＭＡＸ  Ｄｉａｍｅｔｅｒ  ＥＡＰ  Ａｃｃｅｐｔ）（ＷＤＥＡ）についてのＲＡＤＩＵＳアクセス−受入れ（ＲＡＤＩＵＳ  Ａｃｃｅｓｓ−Ａｃｃｅｐｔ）などの応答を送信することができる。ターゲットＡＳＮにおけるアンカー・データ・パス機能はまた、（４４４において）アクセス端末のホーム・エージェントに登録し、このホーム・エージェントは、（４４６において）登録を検証するために登録応答を送信する。プロセスの中のこのポイントにおいて、アンカー・オーセンティケータと、アンカー・データ・パス機能との組み合わされた再配置は、実行されており、またターゲットＡＳＮは、（４４８において）再配置完了要求をソースＡＳＮに対して送信する。例示の再配置完了要求は、認証結果を示す情報と、新しい認証検証コード（ｎｅｗ  ａｕｔｈｅｎｔｉｃａｔｉｏｎ  ｖｅｒｉｆｉｃａｔｉｏｎ  ｃｏｄｅ）（ＮＡ＿ＶＣ）と、ターゲットＡＳＮに対するアンカー・データ・パス機能の再配置の表示とを含む。再配置完了要求の受信のすぐ後に、ソースＡＳＮは、（４５０において）それがもはやアクセス端末についてのサービング・アンカー・オーセンティケータとデータ・パス機能とではないことを示すアカウンティング停止メッセージ（ａｃｃｏｕｎｔｉｎｇ  ｓｔｏｐ  ｍｅｓｓａｇｅ）をＡＡＡサーバに対して送信し、また（４５２において）再配置完了応答をターゲットＡＳＮに対して送信する。例示の再配置完了応答は、アクセス端末についてのアカウンティング・コンテキストと、プリペイド・アカウンティング・クライアント（Ｐｒｅ−Ｐａｉｄ  Ａｃｃｏｕｎｔｉｎｇ  Ｃｌｉｅｎｔ）（ＰＰＡＣ）などとを含む。次いで、ターゲットＡＳＮは、（４５４において）再配置完了肯定応答をソースＡＳＮに対して送信することができ、また（４５６において）アカウンティング開始メッセージ（ａｃｃｏｕｎｔｉｎｇ  ｓｔａｒｔ  ｍｅｓｓａｇｅ）をＡＡＡサーバに対して送信することもできる。アカウンティング開始メッセージは、新しいアンカー・オーセンティケータと、アンカー・データ・パス機能とが、それぞれアクセス端末についての新しいサービング・アンカー・オーセンティケータと、アンカー・データ・パス機能とであることを示す。
【００３２】
図５は、ワイヤレス通信システムにおいてモビリティ・イベント中にソースＡＳＮ５１０とターゲットＡＳＮ５０５との間で機能エンティティを再配置するための一方法５００の第３の例示の実施形態を概念的に示すものである。例証された実施形態においては、ソースＡＳＮ５１０は、ソースＡＳＮ−ＧＷ（Ｓ−ＧＷ）を含んでおり、またターゲットＡＳＮ５０５は、基地局（ＢＳ）と、ターゲットＡＳＮ−ＧＷ（Ｔ−ＧＷ）とを含んでいる。ワイヤレス通信システムはまた、アクセス端末（ＡＴ）についてのホーム・エージェント（ＨＡ）をサポートするコア・サービング・ネットワーク５１５と、アクセス端末についてのプロファイル情報を含むＡＡＡサーバとを含んでいる。例証された実施形態においては、ワイヤレス通信システムの要素は、ＷｉＭＡＸの規格および／またはプロトコルに従って動作する。例証された実施形態におけるアクセス端末は、最初はアイドル・モードにあり、またモビリティ・イベントに応じてソースＡＳＮからターゲットＡＳＮへとその関連付けを変更する。
【００３３】
本方法５００の第３の例示の実施形態は、アクセス端末によって送信されるロケーション更新に応じてページング制御装置と、アンカー・オーセンティケータと、アンカー・データ・パス機能との組み合わされた再配置を実行することにより、図４に示される第２の例示の実施形態とは異なる。例証された実施形態においては、アクセス端末は、（５２０において）ロケーション更新を要求するＲＮＧ−ＲＥＱメッセージなどのメッセージを送信することにより、ロケーション更新プロシージャを開始する。基地局（ＢＳ）は、（５２２において）ロケーション更新要求をターゲットＡＳＮに対して転送する。ロケーション更新要求は、ページング情報、基地局識別子、ページング制御装置の識別子などの情報を含むことができる。ターゲットＡＳＮは、（５２４において）インターフェースの上で再配置通知メッセージをソースＡＳＮに対して搬送する。再配置通知メッセージはまた、組み合わされた再配置プロシージャを要求する情報を含んでおり、その結果、ページング制御装置と、アンカー・オーセンティケータと、アンカー・データ・パス機能とは、ロケーション更新プロシージャの一部分として再配置することが可能になる。一実施形態においては、再配置通知メッセージは、再配置（例えば、ロケーション更新またはハンドオフ）についての理由を示す情報と、ＣＰＩビットと、ページング情報と、新しいページング制御装置のＩＤと、新しいアンカー・オーセンティケータの識別子と、アンカー・ページング制御装置（ＡＰＣ）の再配置の宛先と、基地局識別子と、ＣＭＡＣ＿キー＿カウントなどとを含む。
【００３４】
ソースＡＳＮは、要求された組み合わされた再配置を受け入れるべきか、または拒否すべきかを決定する。一実施形態においては、ソースＡＳＮは、ロケーション更新要求が、有効であるかどうかと、それが組み合わされた再配置プロシージャをサポートするかどうかとを決定することができる。そうである場合には、ソースＡＳＮは、（５２６において）要求が受け入れられていることを示す再配置通知応答をターゲットＡＳＮに対して提供することによって応答する。再配置通知応答の実施形態は、要求が受け入れられたか、または拒否されたかを示すコンテキスト情報と、アクセス端末のセキュリティ履歴と、アクセス端末についての認可コンテキストと、アクセス端末についてのモビリティ・アンカー・コンテキストと、基地局情報と、ページング情報と、現在のオーセンティケータの検証コード（ＰＡ＿ＶＣ）と、現在のカウンタ値（ＣＭＡＣ＿キー＿カウント）から導き出され、また妥当性検査のために使用されるノンス（ＰＡ＿ＮＯＮＣＥ）と、ランダム値ノンスと、セキュリティ・コンテキストと、新しいページング制御装置の識別子と、古いページング制御装置の識別子と、ページング情報などとを含むことができる。
【００３５】
ターゲットＡＳＮは、コンテキスト情報を使用して、アクセス端末についてのページング制御装置、アンカー・オーセンティケータ、および／またはアンカー・データ・パス機能を構成し、あるいはそれらのインスタンスを作成することができる。ページング制御装置を表すコンテキスト情報は、今やターゲットＡＳＮにおいて使用可能であるので、アクセス端末は、エラーまたは障害が、再配置プロセスの残りにおいて起こる場合に、ネットワークによって場所を見つけられることが可能である。例証された実施形態においては、ターゲットＡＳＮ−ＧＷは、（５２８において）ロケーション更新応答を基地局に対して提供する。提供された応答は、アクセス端末の識別子、セキュリティ・コンテキスト、新しいページング制御装置の識別子、古いページング制御装置の識別子、ページング情報などのコンテキスト情報を含むことができる。ＲＮＧ−ＲＳＰなどのロケーション更新確認メッセージを、（５３０において）エア・インターフェースの上でアクセス端末に対して送信することが可能であり、また別のロケーション更新確認を、（５３２において）ターゲットＡＳＮ−ＧＷに対して戻すことが可能である。
【００３６】
ＡＡＡ認可のために、ターゲットＡＳＮは、（５３４において）再配置されたオーセンティケータ・セッションについてのアクセス要求をＡＡＡサーバに対して送信する。一実施形態においては、アクセス要求は、ＲＡＤＩＵＳアクセス要求、またはアクセス端末についての新しいアンカー・オーセンティケータの識別子と、ＰＡ＿ＶＣと、ＰＡ＿ＮＯＮＣＥと、ネットワーク・アクセス識別子とを含むダイアメーターＷｉＭＡＸダイアメーターの拡張認証プロトコル（ＥＡＰ）要求（ＷＤＥＲ）である。ＡＡＡサーバは、その要求を受け入れるべきかどうかを決定することができ、また次いでそれは、（５３６において）ＡＡＡサーバによって生成されるマスター・セッション・キーなどのキー・マテリアルを含むダイアメーターＷｉＭＡＸダイアメーターＥＡＰ受入れ（ＷＤＥＡ）についてのＲＡＤＩＵＳアクセス−受入れなどの応答を送信することができる。ターゲットＡＳＮにおけるアンカー・データ・パス機能は、（５３８において）アクセス端末のホーム・エージェントに登録することもでき、このホーム・エージェントは、（５４０において）登録を検証するために登録応答を送信する。プロセスの中のこのポイントにおいて、アンカー・オーセンティケータと、ページング制御装置と、アンカー・データ・パス機能との組み合わされた再配置は、実行されており、またターゲットＡＳＮは、（５４２において）再配置完了要求をソースＡＳＮに対して送信する。例示の再配置完了要求は、認証結果を示す情報と、ＮＡ＿ＶＣと、ターゲットＡＳＮに対するアンカー・データ・パス機能の再配置の表示とを含む。再配置完了要求の受信のすぐ後に、ソースＡＳＮは、（５４４において）アカウンティング停止メッセージをＡＡＡサーバに対して送信し、また（５４６において）再配置完了応答をターゲットＡＳＮに対して送信する。例示の再配置完了応答は、アクセス端末についてのアカウンティング・コンテキストと、プリペイド・アカウンティング・クライアント（ＰＰＡＣ）などとを含む。次いで、ターゲットＡＳＮは、（５４８において）再配置完了肯定応答をソースＡＳＮに対して送信することができ、また（５５０において）アカウンティング開始メッセージをＡＡＡサーバに対して送信することもできる。アカウンティング開始メッセージは、新しいアンカー・オーセンティケータと、アンカー・データ・パス機能とが、アクセス端末についてのサービング・アンカー・オーセンティケータと、アンカー・データ・パス機能とであることを示す。
【００３７】
図６は、ワイヤレス通信システムにおいて、モビリティ・イベント中に、ソースＡＳＮ６１０と、ターゲットＡＳＮ６０５との間で機能エンティティを再配置するための一方法６００の第４の例示の実施形態を概念的に示すものである。例証された実施形態においては、ソースＡＳＮ６１０は、ソースＡＳＮ−ＧＷ（Ｓ−ＧＷ）を含んでおり、またターゲットＡＳＮ６０５は、基地局（ＢＳ）と、ターゲットＡＳＮ−ＧＷ（Ｔ−ＧＷ）とを含んでいる。ワイヤレス通信システムはまた、アクセス端末（ＡＴ）についてのホーム・エージェント（ＨＡ）をサポートするコア・サービング・ネットワーク６１５と、アクセス端末についてのプロファイル情報を含むＡＡＡサーバとを含んでいる。例証された実施形態においては、ワイヤレス通信システムの要素は、ＷｉＭＡＸの規格および／またはプロトコルに従って動作する。例証された実施形態におけるアクセス端末は、最初はアイドル・モードにあり、またモビリティ・イベントに応じてソースＡＳＮからターゲットＡＳＮへとその関連付けを変更する。本方法６００の第４の例示の実施形態は、図５に示される第３の例示の実施形態とは異なる一連のメッセージを使用して、アクセス端末によって送信されるロケーション更新に応じて、ページング制御装置と、アンカー・オーセンティケータと、アンカー・データ・パス機能との組み合わされた再配置を実装する。
【００３８】
第４の例示の実施形態において、アクセス端末は、（６２０において）ロケーション更新を要求するＲＮＧ−ＲＥＱメッセージなどのメッセージを送信することにより、ロケーション更新プロシージャを開始する。基地局（ＢＳ）は、（６２２において）ロケーション更新要求をターゲットＡＳＮに対して転送する。ロケーション更新要求は、ページング情報、基地局識別子、ページング制御装置の識別子などの情報を含むことができる。ターゲットＡＳＮは、（６２４において）再配置通知メッセージをソースＡＳＮ６１０に対して搬送する。そのメッセージは、組み合わされた再配置プロシージャを要求する情報を含んでおり、その結果、ページング制御装置と、アンカー・オーセンティケータと、アンカー・データ・パス機能とは、ロケーション更新プロシージャの一部分として再配置することが可能になる。一実施形態においては、再配置通知メッセージは、再配置（例えば、ロケーション更新またはハンドオフ）についての理由を示す情報と、チャージング属性を示すＣＰＩビットと、ページング情報と、新しいページング制御装置のＩＤと、新しいアンカー・オーセンティケータの識別子と、ページング制御装置の再配置の宛先と、基地局識別子と、ＣＭＡＣ＿キー＿カウントなどとを含む。
【００３９】
ソースＡＳＮは、要求された組み合わされた再配置を受け入れるべきか、または拒否すべきかを決定する。一実施形態においては、ソースＡＳＮは、ロケーション更新要求が、有効であるかどうかと、それが組み合わされた再配置プロシージャをサポートするかどうかとを決定することができる。そうである場合には、ソースＡＳＮは、（６２６において）要求が受け入れられていることを示す再配置通知応答をターゲットＡＳＮに対して提供して応答する。再配置通知応答の実施形態は、要求が受け入れられたか、または拒否されたかを示すコンテキスト情報と、アクセス端末のセキュリティ履歴と、アクセス端末についての認可コンテキストと、アクセス端末についてのモビリティ・アンカー・コンテキストと、基地局情報と、ページング情報と、現在のオーセンティケータの検証コード（ＰＡ＿ＶＣ）と、現在のカウンタ値（ＣＭＡＣ＿キー＿カウント）から導き出されるノンス（ＰＡ＿ＮＯＮＣＥ）と、ランダム値ノンス（ＮＡ＿ＮＯＮＣＥ）と、セキュリティ・コンテキストと、新しいページング制御装置の識別子と、古いページング制御装置の識別子と、ページング情報などとを含むことができる。
【００４０】
ターゲットＡＳＮは、コンテキスト情報を使用して、アクセス端末についてのページング制御装置、アンカー・オーセンティケータ、および／またはアンカー・データ・パス機能を構成し、あるいはそれらのインスタンスを作成することができる。ページング制御装置を表すコンテキスト情報は、今やターゲットＡＳＮにおいて使用可能であるので、アクセス端末は、エラーまたは障害が、再配置プロセスの残りにおいて起こる場合に、ネットワークによって場所を見つけられることが可能である。例証された実施形態においては、ターゲットＡＳＮ−ＧＷは、（６２８において）ロケーション更新応答を基地局に対して提供する。提供された応答は、アクセス端末の識別子、セキュリティ・コンテキスト、新しいページング制御装置の識別子、古いページング制御装置の識別子、ページング情報などのコンテキスト情報を含むことができる。ＲＮＧ−ＲＳＰなどのロケーション更新確認メッセージは、（６３０において）エア・インターフェースの上でアクセス端末に対して送信することが可能である。
【００４１】
ＡＡＡ認可のために、ターゲットＡＳＮは、（６３２において）再配置されたオーセンティケータ・セッションについてのアクセス要求をＡＡＡサーバに対して送信する。一実施形態においては、アクセス要求は、ＲＡＤＩＵＳアクセス要求、またはアクセス端末についての新しいアンカー・オーセンティケータの識別子と、ＰＡ＿ＶＣと、ＰＡ＿ＮＯＮＣＥと、ネットワーク・アクセス識別子とを含むダイアメーターＷｉＭＡＸダイアメーターの拡張認証プロトコル（ＥＡＰ）要求（ＷＤＥＲ）である。ＡＡＡサーバは、その要求を受け入れるべきかどうかを決定することができ、また次いでそれは、（６３４において）ＡＡＡサーバによって生成されるマスター・セッション・キーなどのキー・マテリアルを含むＲＡＤＩＵＳアクセス−受入れやダイアメーターＷｉＭＡＸダイアメーターＥＡＰ受入れ（ＷＤＥＡ）などの応答を送信することができる。Ｔ−ＡＳＮ６０５と、コア・サービング・ネットワーク６１５との間で交換されるメッセージと同時に、Ｔ−ＡＳＮにおけるＢＳは、（６３６において）ロケーション更新確認（ＣＭＡＣ＿キー＿カウントを含む）をターゲットＡＳＮ−ＧＷに対して送信する。ターゲット・ゲートウェイは、（６３８において）再配置完了要求メッセージをソース・ゲートウェイ（現在のオーセンティケータ）に対して送信して、組み合わされた再配置を完了する。再配置完了要求メッセージは、新しいオーセンティケータによって生成されるＮＡ＿ＶＣを含むことができる。ソース・ゲートウェイにおけるオーセンティケータは、（６４０において）アカウンティング停止メッセージをＡＡＡサーバに対して送信して、ソース・ゲートウェイにおけるオーセンティケータがもはやアクセス端末をサーブしていないことをＡＡＡサーバに知らせる。
【００４２】
ターゲットＡＳＮにおけるアンカー・データ・パス機能は、（６４２において）アクセス端末のホーム・エージェントに登録し、このホーム・エージェントは、（６４４において）登録を検証するために登録応答を送信する。プロセスの中のこのポイントにおいて、アンカー・オーセンティケータと、ページング制御装置と、アンカー・データ・パス機能との組み合わされた再配置は、実行されており、またターゲットＡＳＮは、（６４８において）再配置完了要求をソースＡＳＮに対して送信する。例示の再配置完了要求は、認証結果を示す情報と、ＮＡ＿ＶＣと、ターゲットＡＳＮに対するアンカー・データ・パス再配置の表示とを含む。再配置完了要求の受信のすぐ後に、ソースＡＳＮは、（６４０において）アカウンティング停止メッセージをＡＡＡサーバに対して送信し、また（６４６において）再配置完了応答をターゲットＡＳＮに対して送信する。例示の再配置完了応答は、アクセス端末についてのアカウンティング・コンテキストと、ＰＰＡＣなどとを含む。次いで、ターゲットＡＳＮは、（６４８において）再配置完了肯定応答をソースＡＳＮに対して送信することができ、また（６５０において）アカウンティング開始メッセージをＡＡＡサーバに対して送信することもできる。アカウンティング開始メッセージは、新しいアンカー・オーセンティケータが、アクセス端末についてのサービング・アンカー・オーセンティケータであることを示す。
【００４３】
複数の機能エンティティの組み合わされた再配置は、異なるＡＳＮの間のアクティブなモバイル・ユニットのハンドオフ中に使用することも可能である。例えば、アンカー・データ・パス機能と、アンカー・オーセンティケータとの両方は、モバイル・ユニットがＡＳＮ間のハンドオフを実行するときに、新しいＡＳＮ−ＧＷに再配置することが可能である。一実施形態においては、２段階のプロセスを使用して、アクティブなコールのサービスの途絶を低減させ、または回避するようにコンテキスト情報を再配置することができる。第１に、アンカー・データ・パス機能と、アンカー・オーセンティケータ機能とは、サービングＡＳＮ−ＧＷからターゲットＡＳＮ−ＧＷへと送信されるアンカー＿ＤＰＦ＿ＨＯ＿要求（Ａｎｃｈｏｒ＿ＤＰＦ＿ＨＯ＿Ｒｅｑ）メッセージなどのメッセージを使用して新しいターゲットＡＳＮ−ＧＷに対して一緒に再配置することが可能である。メッセージの一実施形態は、両方の機能の組み合わされた再配置についての要求を示す最適化された再配置タイプ値を含んでいる。サービングＡＳＮ−ＧＷから送信されるメッセージは、モバイル・ユニットに属するアンカー・データ・パス機能コンテキストと、オーセンティケータ機能コンテキストとを定義する／構成するためのコンテキスト情報（これは、アンカーＭＭコンテキストと称されることがある）を含むことができる。第２の段階においては、新しいターゲットＡＳＮ−ＧＷに対するアンカー・オーセンティケータ機能と、アンカー・データ・パス機能との組み合わされた再配置についての完了に続いて、認証認可アカウンティング（ＡＡＡ）サーバは、新しいターゲットＡＳＮ−ＧＷに再配置されている新しいオーセンティケータ機能について通知される。ＡＡＡサーバは、新しいオーセンティケータによりＡＡＡサーバに対して提示される１つまたは複数のキーを検証することにより再配置を検証する。ひとたびオーセンティケータの再配置が完了された後に、アンカー・データ・パス機能と、ＨＡとの間の結合が、更新される。
【００４４】
図７は、アクティブなアクセス端末が、ソース（古い）ＡＳＮ−ＧＷと、ターゲット（新しい）ＡＳＮ−ＧＷとの間でハンドオフするときのＡＳＮ機能エンティティについてのアクティブ・モードの組み合わされた再配置のための一方法７００の例示の一実施形態を概念的に示すものである。例示の実施形態においては、各ＡＳＮ−ＧＷは、アンカー・オーセンティケータ（Ａｎｃｈｏｒ  Ａｕｔｈｅｎｔｉｃａｔｏｒ）（ＡＡ）と、フォーリン・エージェント（ｆｏｒｅｉｇｎ  ａｇｅｎｔ）（ＦＡ）と、アンカー・データ・パス機能（Ａｎｃｈｏｒ  Ｄａｔａ  Ｐａｔｈ  Ｆｕｎｃｔｉｏｎ）（ＡＤＰＦ）とを含む機能エンティティをサポートする。例証された実施形態は、サービング（古い）ＡＳＮ−ＧＷによって開始され得るプッシュ（ＰＵＳＨ）メカニズム、またはターゲット（新しい）ＡＳＮ−ＧＷによって開始され得るプル（ＰＵＬＬ）メカニズムのいずれかをサポートする。本方法は、それゆえに、（７０５において）古いＡＳＮ−ＧＷから新しいＡＳＮ−ＧＷへと送信され得るオプションの再配置開始メッセージを含んでいる。
【００４５】
例証された実施形態においては、ターゲット（新しい）ＡＳＮ−ＧＷ７０１は、（７１０において）再配置通知メッセージを古いＡＳＮ−ＧＷ７０２に対して送信することにより、（７１０において）アンカー・データ・パス機能と、アンカー・オーセンティケータとの組み合わされた再配置を要求する。プッシュ・ケースでは、メッセージは、サービング（古い）ＡＳＮ−ＧＷからの（７０５における）オプションの再配置開始メッセージに応じて（７１０において）送信される。プル・ケースでは、メッセージは、（７１０において）プル・メカニズムを開始するために送信される。メッセージは、最適化された組み合わされた再配置（ｏｐｔｉｍｉｚｅｄ  ｃｏｍｂｉｎｅｄ  ｒｅｌｏｃａｔｉｏｎ）（ＯＣＲ）の原因と、新しいオーセンティケータのＩＤと、場合によっては他の情報とを含む。ソース（古い）ＡＳＮ−ＧＷが、ターゲットＡＳＮ−ＧＷによって送信されるパラメータの妥当性を検証する場合、それは、（７１５において）再配置＿通知＿応答（Ｒｅｌｏｃａｔｉｏｎ＿Ｎｏｔｉｆｙ＿Ｒｓｐ）などのメッセージをターゲットＡＳＮ−ＧＷに対して送信することにより、ターゲットＡＳＮ−ＧＷに対して応答する。その要求が受け入れられる場合、再配置＿通知＿応答メッセージは、新しいオーセンティケータ機能に対するアクセス端末のセキュリティ情報を含んでいる。例示のセキュリティ情報は、アクセス端末のセキュリティ履歴と、認可コンテキストと、アンカーＭＭコンテキストと、様々なノンスと、基地局情報（ＢＳ  Ｉｎｆｏ）と、ＣＭＡＣ＿キー＿カウントなどとを含むことができる。新しいオーセンティケータ機能は、（７２０において）範囲アクセス要求メッセージ（Ｒａｄｉｕｓ  Ａｃｃｅｓｓ  Ｒｅｑｕｅｓｔ  ｍｅｓｓａｇｅ）などのメッセージをＡＡＡサーバに対して送信して、新しいオーセンティケータと、新しいオーセンティケータが古いオーセンティケータから受信した様々な主要パラメータとについてＡＡＡサーバを更新する。ＡＡＡサーバが、新しいオーセンティケータによって提供される主要パラメータを再配置し、また妥当性を検証することに合意する場合、ＡＡＡサーバは、（７２５において）範囲アクセス−受入メッセージ（Ｒａｄｉｕｓ  Ａｃｃｅｓｓ−Ａｃｃｅｐｔ  ｍｅｓｓａｇｅ）などのメッセージを返信する。
【００４６】
プロセスの中のこのポイントにおいて、ターゲットＡＳＮは、（７３０において）再配置完了要求をソースＡＳＮに対して送信する。例示の再配置完了要求は、認証結果を示す情報と、ＮＡ＿ＶＣと、新しいターゲットＡＳＮに対するアンカー・データ・パスの再配置についての要求とを含む。再配置完了要求の受信のすぐ後に、ソースＡＳＮは、（７３５において）アカウンティング停止メッセージをＡＡＡサーバに対して送信して、ソースＡＳＮがもはやアクセス端末をサーブしていないことをＡＡＡサーバに知らせる。ソースＡＳＮはまた、（７４０において）再配置完了応答をターゲットＡＳＮに対して送信する。例示の再配置完了応答は、アクセス端末についてのアカウンティング・コンテキストと、ＰＰＡＣなどとを含んでいる。様々な代替的な実施形態においては、アカウンティング停止メッセージと、再配置応答とは、（７３５、７４０において）同時に、または望ましい任意の順序で送信することが可能である。
【００４７】
ターゲット（新しい）ＡＳＮにおけるアンカー・データ・パス機能と、フォーリン・エージェント（ＦＡ）とは、（７４５において）コア・サービング・ネットワークにおけるアクセス端末のホーム・エージェントに登録する。ホーム・エージェントとの新しい結合は、実行され、また次いで、ホーム・エージェントは、（７５０において）その登録を検証するために登録応答を送信する。プロセスの中のこのポイントにおいて、アンカー・オーセンティケータと、アンカー・データ・パス機能との組み合わされた再配置は、実行されており、またターゲットＡＳＮは、（７５５において）再配置完了肯定応答をソース（古い）ＡＳＮに対して送信し、また（７６０において）アカウンティング開始メッセージをＡＡＡサーバに対して送信することもできる。アカウンティング開始メッセージは、新しいアンカー・オーセンティケータが、アクセス端末についてのサービング・アンカー・オーセンティケータであることを示す。
【００４８】
本明細書において説明される組み合わされた再配置プロシージャの実施形態は、複数のＡＳＮの間で機能エンティティを独立に、かつ／または別々に再配置する従来の技法よりも優るいくつかの利点を有する。例えば、ページング制御装置と、アンカー・オーセンティケータと、アンカー・データ・パス機能とを独立に再配置することは、アクセス端末の目を覚ますことを必要とし、その結果、それは、アイドル・モードを抜け出して、再配置プロセスに参加するようになる。このアプローチは、かなり高いオーバーヘッドを有しており、また３つの機能エンティティの再配置を完了するために少なくとも４５個のメッセージを必要とする。対照的に、本明細書において説明される組み合わされた再配置プロシージャは、わずかに１６個のメッセージを使用してページング制御装置と、アンカー・オーセンティケータと、アンカー・データ・パス機能とを再配置することができる可能性がある。再配置プロシージャを組み合わせることは、それゆえに再配置プロセスによって必要とされるオーバーヘッドをかなり低減させる。さらに、メッセージの数を低減させることは、再配置プロセスが、失敗し、あるいは失われ、または破損されたメッセージに起因して中断される可能性を低減させることができる。本明細書において説明される技法の実施形態は、ロケーション更新プロシージャ中に早期のページング情報をターゲットＡＳＮに対して提供することもでき、これにより、ネットワークは、再配置プロセスが、失敗し、または中断される場合に、アクセス端末との連絡を維持することができるようになる。
【００４９】
開示された主題と、対応する詳細な説明との一部分は、コンピュータ・メモリの内部のソフトウェアまたはアルゴリズムと、データ・ビットの上のオペレーションについてのシンボリック表現との観点で提示される。これらの説明および表現は、当業者が、彼らの仕事の実体を他の当業者に対して効果的に伝える説明および表現である。用語がここで使用されるように、またそれが一般に使用されるように、アルゴリズムは、望ましい結果をもたらすステップの自己整合されたシーケンスであるように考えられる。それらのステップは、物理量の物理的操作を必要とするステップである。通常、必ずしも必要ではないが、これらの量は、記憶し、転送し、組み合わせ、比較し、またそれ以外の方法で操作することが可能な光学的信号、電気的信号、または磁気的信号の形態をとる。主として一般的に使用する理由のために、これらの信号をビット、値、要素、シンボル、文字、用語、数などとして言及することが、時には便利であることが分かっている。
【００５０】
しかしながら、これらの、また類似した用語のすべては、適切な物理量に関連づけられるべきであり、またこれらの量に適用される単に便利なラベルであるにすぎないことを心に留めるべきである。特に他の方法で述べられていない限り、あるいは考察から明らかであるように、「処理すること」、「計算すること」、「算出すること」、「決定すること」、または「表示すること」などの用語は、コンピュータ・システムのレジスタおよびメモリの内部の物理的、電子的な量として表されるデータをコンピュータ・システムのメモリまたはレジスタ、あるいは他のそのような情報のストレージ・デバイス、伝送デバイスまたはディスプレイ・デバイスの内部の物理量として同様に表される他のデータへと、操作しまた変換する、コンピュータ・システムのアクションおよびプロセス、または類似した電子的コンピューティング・デバイスを意味する。
【００５１】
開示された主題についてのソフトウェア実装された態様は、一般的に、何らかの形態のプログラム・ストレージ媒体の上で符号化され、または何らかのタイプの伝送媒体の上で実装されることにも注意すべきである。プログラム・ストレージ媒体は、磁気的（例えば、フロッピー・ディスクまたはハード・ドライブ）、あるいは光学的（例えば、コンパクト・ディスク・リード・オンリー・メモリ、または「ＣＤ  ＲＯＭ」）とすることができ、またリード・オンリーまたはランダム・アクセスとすることができる。同様に、伝送媒体は、ツイスト・ワイヤ・ペア（ｔｗｉｓｔｅｄ  ｗｉｒｅ  ｐａｉｒｓ）、同軸ケーブル、光ファイバー、または当技術分野において知られている何らかの他の適切な伝送媒体とすることができる。開示された主題は、与えられた任意の実装のこれらの態様によって制限されない。
【００５２】
開示された本主題は、本明細書における教示の恩恵を受ける当業者にとって明らかである、異なるけれども同等のやり方で修正し実行することが可能であるので、上記で開示された特定の実施形態は、例示的なものにすぎない。さらに、添付の特許請求の範囲において説明される以外には、示される本明細書における構造または設計の詳細に対して、どのような限定も、意図されてはいない。それゆえに、上記で開示された特定の実施形態は、変更し、または修正することが可能であり、またすべてのそのような変形物は、開示された本主題の範囲内であると考えられることが、明らかである。したがって、本明細書において求められる保護は、添付の特許請求の範囲において説明されるようなものである。
【図１】
0006343044.tif 000002
【図２】
0006343044.tif 000003
【図３】
0006343044.tif 000004
【図４】
0006343044.tif 000005
【図５】
0006343044.tif 000006
【図６】
0006343044.tif 000007
【図７】
0006343044.tif 000008